(57)【特許請求の範囲】
【請求項１】
携帯端末と、この携帯端末との間で所定エリア内において無線通信を行うホスト局とを具備し、
前記携帯端末は、
ＧＰＳ受信手段がＧＰＳ衛星から受信したＧＰＳ衛星信号に格納されているＧＰＳ情報に基づいて位置情報を生成する手段と、
該生成した位置情報と共に、人の年齢層や性別の区別に対応して自己を識別する携帯端末識別コードを前記ホスト局に送信させる制御手段とを備え、
前記ホスト局は、
前記携帯端末から受信した位置情報に基づいて所定エリア内における携帯端末の位置を特定することによって携帯端末の位置を示す位置特定情報を生成する手段と、
前記携帯端末から受信した携帯端末識別コードに基づいて人の年齢層や性別の区別に対応して携帯端末を識別し、該識別した携帯端末毎に前記生成した位置特定情報をディスプレイに表示させる制御手段とを備えたことを特徴とする携帯端末を用いた位置管理システム。
【請求項２】
携帯端末と、この携帯端末との間で所定エリア内において無線通信を行うホスト局とを具備し、
前記携帯端末は、
ＧＰＳ受信手段がＧＰＳ衛星から受信したＧＰＳ衛星信号に格納されているＧＰＳ情報と共に人の年齢層や性別の区別に対応して自己を識別する携帯端末識別コードを前記ホスト局に送信させる制御手段を備え、
前記ホスト局は、
前記携帯端末から受信したＧＰＳ情報に基づいて位置情報を生成する手段と、
該生成した位置情報に基づいて所定エリア内における携帯端末の位置を特定することによって携帯端末の位置を示す位置特定情報を生成する手段と、
前記携帯端末から受信した携帯端末識別コードに基づいて人の年齢層や性別の区別に対応して携帯端末を識別し、該識別した携帯端末毎に前記生成した位置特定情報をディスプレイに表示させる制御手段とを備えたことを特徴とする携帯端末を用いた位置管理システム。
【請求項３】
前記ホスト局において、
前記制御手段は、複数の携帯端末の位置特定情報を生成することによって携帯端末の分布を示す分布情報を生成し、生成した分布情報を前記ディスプレイに表示させることを特徴とする請求項１または２記載の携帯端末を用いた位置管理システム。
【請求項４】
前記ホスト局において、
前記制御手段は、生成した位置特定情報を記憶手段に一時的に記憶させ、生成した位置特定情報と、これよりも以前に前記記憶手段に一時的に記憶させている位置特定情報とを関連付けることによって携帯端末の移動軌跡を示す移動軌跡情報を生成し、生成した移動軌跡情報を前記ディスプレイに表示させることを特徴とする請求項１ないし３のいずれかに記載の携帯端末を用いた位置管理システム。
【請求項５】
前記携帯端末と前記ホスト局とは、中継局を通じて無線通信を行うことを特徴とする請求項１ないし４のいずれかに記載の携帯端末を用いた位置管理システム。
【請求項６】
前記ホスト局との間で所定エリア内において無線通信を行う表示端末を具備し、
前記ホスト局において、
前記制御手段は、生成した位置特定情報、分布情報或いは移動軌跡情報をサービス情報として前記表示端末に送信させ、
前記表示端末は、
前記ホスト局から受信したサービス情報を表示手段に表示させる制御手段を備えたことを特徴とする請求項１ないし５のいずれかに記載の携帯端末を用いた位置管理システム。
【請求項７】
前記表示端末において、
前記制御手段は、自己を識別する表示端末識別コードを前記ホスト局に送信させ、
前記ホスト局において、
前記制御手段は、前記表示端末から受信した表示端末識別コードに基づいて表示端末を識別することを特徴とする請求項６記載の携帯端末を用いた位置管理システム。
【請求項８】
前記表示端末は、携帯可能に構成されていることを特徴とする請求項６または７記載の携帯端末を用いた位置管理システム。
【請求項９】
前記表示端末は、所定エリア内において所定場所に設置されていることを特徴とする請求項６または７記載の携帯端末を用いた位置管理システム。
【発明の詳細な説明】
【０００１】
【発明の属する技術分野】
本発明は、比較的広大な敷地面積を有するテーマパーク、イベント会場或いは遊園地などに好適する携帯端末を用いた位置管理システムに関する。
【０００２】
【発明が解決しようとする課題】
比較的広大な敷地面積を有するテーマパーク、イベント会場或いは遊園地などにおいて、これらテーマパーク、イベント会場或いは遊園地などを運営する側は、入場者の位置を特定することは困難である。そのため、例えば入場者がいずれかのアトラクションやレストランに集中し、混雑しているような状況であっても、そのような状況を把握することはできない。
【０００３】
本発明は、上記した事情に鑑みてなされたものであり、その目的は、比較的広大な敷地面積を有するテーマパーク、イベント会場或いは遊園地などの所定エリア内において、入場者の位置を特定することができ、それによって、入場者の位置を把握することができる携帯端末を用いた位置管理システムを提供することにある。
【０００４】
【課題を解決するための手段】
請求項１に記載した発明によれば、携帯端末は、ＧＰＳ受信手段がＧＰＳ衛星からＧＰＳ衛星信号を受信すると、受信されたＧＰＳ衛星信号に格納されているＧＰＳ情報に基づいて位置情報を生成し、該生成した位置情報と共に、人の年齢層や性別の区別に対応して自己を識別する携帯端末識別コードをホスト局に送信させる。そして、ホスト局は、携帯端末から位置情報を受信すると、受信された位置情報に基づいて所定エリア内における携帯端末の位置を特定することによって携帯端末の位置を示す位置特定情報を生成し、携帯端末から受信した携帯端末識別コードに基づいて人の年齢層や性別の区別に対応して携帯端末を識別し、該識別した携帯端末毎に前記生成した位置特定情報をディスプレイに表示させる。
【０００５】
したがって、テーマパーク、イベント会場或いは遊園地などを運営する側は、入場者に携帯端末を配付し、入場者に携帯端末を携帯させることによって、ホスト局において携帯端末の位置を示す位置特定情報を出力させることができるので、出力された位置特定情報を確認することによって、携帯端末を携帯する入場者の位置を特定することができ、入場者の位置を把握することができる。しかも、識別コードによって人の年齢層や性別を区別した上で入場者に携帯端末を配付することによって、単に入場者の位置を把握することができるのみでなく、入場者の年齢層や性別をも把握することができ、例えば幼児や小学生に人気のあるアトラクションなどを把握することができる。
【０００６】
請求項２に記載した発明によれば、携帯端末は、ＧＰＳ受信手段がＧＰＳ衛星からＧＰＳ衛星信号を受信すると、受信されたＧＰＳ衛星信号に格納されているＧＰＳ情報と共に人の年齢層や性別の区別に対応して自己を識別する携帯端末識別コードをホスト局に送信させる。そして、ホスト局は、携帯端末から位置情報を受信すると受信したＧＰＳ情報に基づいて位置情報を生成し、該生成した位置情報に基づいて所定エリア内における携帯端末の位置を特定することによって携帯端末の位置を示す位置特定情報を生成し、携帯端末から受信した携帯端末識別コードに基づいて人の年齢層や性別の区別に対応して携帯端末を識別し、該識別した携帯端末毎に前記生成した位置特定情報をディスプレイに表示させる。
【０００７】
したがって、上記した請求項１に記載したものと同様にして、テーマパーク、イベント会場或いは遊園地などを運営する側は、入場者に携帯端末を配付し、入場者に携帯端末を携帯させることによって、ホスト局において携帯端末の位置を示す位置特定情報を出力させることができるので、出力された位置特定情報を確認することによって、携帯端末を携帯する入場者の位置を特定することができ、入場者の位置を把握することができる。しかも、識別コードによって人の年齢層や性別を区別した上で入場者に携帯端末を配付することによって、単に入場者の位置を把握することができるのみでなく、入場者の年齢層や性別をも把握することができ、例えば幼児や小学生に人気のあるアトラクションなどを把握することができる。
【０００８】
また、この場合は、上記した請求項１に記載したものと比較すると、携帯端末において位置情報を生成するのではなく、ホスト局において位置情報を生成するので、その分、例えば携帯端末の制御手段が行う処理を簡素化できるなど携帯端末の構成を簡単にすることができ、入場者に携帯端末を配付することを鑑みると、仮に携帯端末が紛失したり或いは損傷した場合であっても、それによる損害を抑えることができる。
【０００９】
請求項３に記載した発明によれば、ホスト局において、制御手段は、複数の携帯端末の位置特定情報を生成することによって携帯端末の分布を示す分布情報を生成し、生成した分布情報をディスプレイに表示させる。したがって、テーマパーク、イベント会場或いは遊園地などを運営する側は、複数の入場者に携帯端末を配付し、複数の入場者に携帯端末を携帯させることによって、入場者の分布を把握することができ、例えば比較的混雑している（人気のある）アトラクションやレストランなどを把握することができる。
【００１１】
請求項４に記載した発明によれば、ホスト局において、制御手段は、生成した位置特定情報を記憶手段に一時的に記憶させ、生成した位置特定情報と、これよりも以前に記憶手段に一時的に記憶させている位置特定情報とを関連付けることによって携帯端末の移動軌跡を示す移動軌跡情報を生成し、生成した移動軌跡情報をディスプレイに表示させる。したがって、テーマパーク、イベント会場或いは遊園地などを運営する側は、入場者に携帯端末を配付し、入場者に携帯端末を携帯させることによって、携帯端末の時系列的な位置の変化、つまり、入場者の移動軌跡を把握することができ、例えば行動ルートなどを把握することができる。
【００１２】
請求項５に記載した発明によれば、携帯端末とホスト局とは、中継局を通じて無線通信を行う。したがって、携帯端末が放射する電波を中継局が中継することによって、携帯端末が放射する電波の電力レベルを抑えることができ、入場者に携帯端末を配付することを鑑みると、仮に入場者が他の電子機器（例えばビデオカメラなど）を携帯している場合であっても、携帯端末が放射する電波によって他の電子機器に悪影響（例えば画像の乱れなど）が及ぼされることを未然に回避することができ、また、携帯端末が電池によって駆動するものであれば、携帯端末における消費電流を抑えることによって充電或いは電池交換の頻度をも抑えることもできる。
【００１３】
請求項６に記載した発明によれば、ホスト局において、制御手段は、生成した位置特定情報、分布情報或いは移動軌跡情報をサービス情報として表示端末に送信させる。そして、表示端末において、制御手段は、ホスト局からサービス情報を受信すると、受信されたサービス情報を表示手段に表示させる。
【００１４】
したがって、テーマパーク、イベント会場或いは遊園地などを運営する側は、サービス情報として位置特定情報を送信することによって、入場者に対して入場者の位置を知らせることができ、また、サービス情報として分布情報を送信することによって、入場者の分布を知らせることができ、さらに、サービス情報として移動軌跡情報を送信することによって、入場者の移動軌跡を知らせることができ、このように入場者にとって有益なサービスを提供することができる。
【００１５】
そして、入場者から見れば、サービス情報として位置特定情報を受信することによって、自分の位置を確認することができ、また、サービス情報として分布情報を受信することによって、例えば比較的混雑しているアトラクションやレストランなどを確認することができ、さらに、サービス情報として移動軌跡情報を受信することによって、例えば自分の行動ルートなどを確認することができ、有益なサービスを取得することができる。
【００１６】
請求項７に記載した発明によれば、表示端末において、制御手段は、自己を識別する表示端末識別コードをホスト局に送信させる。そして、ホスト局において、制御手段は、表示端末から表示端末識別コードを受信すると、受信された表示端末識別コードに基づいて表示端末を識別する。したがって、テーマパーク、イベント会場或いは遊園地などを運営する側は、携帯端末識別コードと表示端末識別コードとを関連付けておくことによって、表示端末の位置を識別することができ、表示端末の位置に応じた好適なサービス情報を送信することができ、入場者に対して位置に特化したサービスを提供することができる。
【００１７】
請求項８に記載した発明によれば、表示端末は、携帯可能に構成されている。したがって、テーマパーク、イベント会場或いは遊園地などを運営する側は、入場者に表示端末を配付し、入場者に表示端末を携帯させ、表示端末にサービス情報を送信することによって、表示端末を携帯している入場者のみに対して入場者にとって有益なサービスを提供することができ、例えば希望する入場者のみに表示端末を配付するようにすれば、希望する入場者のみに対して有益なサービスを提供することができる。
【００１８】
請求項９に記載した発明によれば、表示端末は、所定エリア内において所定場所に設置されている。したがって、テーマパーク、イベント会場或いは遊園地などを運営する側は、表示端末にサービス情報を送信することによって、例えば表示端末を不特定多数の入場者が見易い場所に設置するようにすれば、不特定多数の入場者に対して有益なサービスを提供することができる。
【００１９】
【発明の実施の形態】
（第１の実施の形態）
以下、本発明を比較的広大な敷地面積を有するテーマパークにおける位置管理システムに適用した第１実施例について、図１ないし図１６を参照して説明する。まず、図１おいて、破線Ａは、テーマパークのエリアを概略的に示している。ホスト局１および複数（図１では４局）の中継局２は、テーマパーク内の所定位置に設置されている。カード型携帯端末３（本発明でいう携帯端末）は、テーマパークを運営する側が基本的には入場者の全員に配付することによって、入場者の全員が携帯するものであり、また、表示機能付携帯端末４（本発明でいう表示端末）は、テーマパークを運営する側が基本的には希望する入場者のみに配付することによって、希望する入場者のみが携帯するものである。すなわち、入場者は、基本的にはカード型携帯端末３を携帯することになり、希望すれば、表示機能付携帯端末４をも携帯することになる。
【００２０】
次に、図２は、上記したカード型携帯端末３の外観斜視図を示しており、また、図３は、カード型携帯端末３の電気的な構成を機能ブロック図として示している。カード型携帯端末３は、入場者の例えば上着のポケットに収納される程度の大きさのもので、ＧＰＳ無線部５（本発明でいうＧＰＳ受信手段）、ローカル無線部６（本発明でいう所定エリア内通信手段）、ＣＰＵ７（本発明でいう制御手段）およびＲＯＭ８がバス９を通じて接続されて構成されている。この場合、ＣＰＵ７は、ＲＯＭ８が格納している制御プログラムを実行することによって、詳しくは後述するように、ＧＰＳ無線部５およびローカル無線部６を制御する。また、この場合、カード型携帯端末３は、例えば充電可能な電池（図示せず）によって駆動するように構成されている。
【００２１】
次に、図４は、上記したホスト局１の電気的な構成を機能ブロック図として示している。ホスト局１は、例えば通信機能を有する汎用のパーソナルコンピュータを主体として構成されているもので、ローカル無線部１０（本発明でいう所定エリア内通信手段）、キーボード１１およびマウス１２などの入力機器を接続する入力インタフェース１３、ディスプレイ１４（本発明でいう出力手段）およびプリンタ１５（本発明でいう出力手段）などの出力機器を接続する出力インタフェース１６、メモリ１７（本発明でいう記憶手段）、ＣＰＵ１８（本発明でいう制御手段）およびＲＯＭ１９がバス２０を通じて接続されて構成されている。この場合、ＣＰＵ１８は、ＲＯＭ１９が格納している制御プログラムを実行することによって、詳しくは後述するように、ローカル無線部１０、ディスプレイ１４およびプリンタ１５などを制御する。
【００２２】
次に、図５は、上記した表示機能付携帯端末４の外観斜視図を示しており、また、図６は、表示機能付携帯端末４の電気的な構成を機能ブロック図として示している。表示機能付携帯端末４は、上記したカード型携帯端末３よりも大きく、入場者が手に持つことが可能な程度の大きさのもので、ローカル無線部２１（本発明でいう所定エリア内通信手段）、キーボ−ド２２、ディスプレイ２３（本発明でいう表示手段）、ＣＰＵ２４（本発明でいう制御手段）およびＲＯＭ２５がバス２６を通じて接続されて構成されている。この場合、ＣＰＵ２４は、ＲＯＭ２５が格納している制御プログラムを実行することによって、詳しくは後述するように、ローカル無線部２１およびディスプレイ２３を制御する。尚、キーボ−ド２２は、例えばディスプレイ２３にタッチパネルが表示されることによって構成されるものである。また、表示機能付携帯端末４は、上記したカード型携帯端末３と同様にして、充電可能な電池（図示せず）によって駆動するように構成されている。
【００２３】
次に、上記した構成の作用について、図７ないし図１６も参照して説明する。ここで、処理の形態を示すフェーズとしては、
（Ａ）カード型携帯端末３がホスト局１に位置情報を送信するフェーズ
（Ｂ）ホスト局１が表示機能付携帯端末４にサービス情報を送信するフェーズ
の２つのフェーズがある。以下、これら２つのフェーズについて順次説明する。
【００２４】
（Ａ）カード型携帯端末３がホスト局１に位置情報を送信するフェーズ
まず、カード型携帯端末３がホスト局１に位置情報を送信するフェーズについて、図７ないし図１１を参照して説明する。ここでは、カード型携帯端末３がホスト局１から比較的離れた場所に位置している状況を想定し、カード型携帯端末３が中継局２を通じてホスト局１に位置情報を送信することを前提とする。尚、カード型携帯端末３がホスト局１から比較的近い場所に位置している状況であれば、カード型携帯端末３がホスト局１に位置情報を直接送信することも可能である（図１参照）。
【００２５】
カード型携帯端末３において、ＣＰＵ７は、例えば一定時間（例えば１８０秒）の周期にしたがって、ＧＰＳ衛星２７（図１参照）が送信したＧＰＳ衛星信号をＧＰＳ無線部５に受信させ、ＧＰＳ衛星信号に格納されているＧＰＳ情報を入力し、入力したＧＰＳ情報を演算することによって位置情報（緯度、経度、高度）を生成する。そして、ＣＰＵ７は、リンク確立要求をローカル無線部６から中継局２を通じてホスト局１に送信させる。ホスト局１において、ＣＰＵ１８は、カード型携帯端末３から中継局２を通じてリンク確立要求が受信されると、リンク確立要求に対する応答としてリンク確立応答をローカル無線部１０から中継局２を通じてカード型携帯端末３に送信させる。
【００２６】
次いで、カード型携帯端末３において、ＣＰＵ７は、ホスト局１から中継局２を通じてリンク確立応答が受信されると、ホスト局１との間でリンクを確立し、上記した処理によって生成した位置情報をローカル無線部６から中継局２を通じてホスト局１に送信させる。ホスト局１において、ＣＰＵ１８は、カード型携帯端末３から中継局２を通じて位置情報が受信されると、位置情報が受信されたことを示す受信確認をローカル無線部１０から中継局２を通じてカード型携帯端末３に送信させる。そして、カード型携帯端末３において、ＣＰＵ７は、ホスト局１から中継局２を通じて受信確認が受信されると、ホスト局１との間でリンクを解放する。
【００２７】
さて、ホスト局１において、ＣＰＵ１８は、このようにしてカード型携帯端末３から位置情報が受信された後に、以下の処理を行う。すなわち、ＣＰＵ１８は、カード型携帯端末３から受信された位置情報をメモリ１７に一時的に記憶させる。そして、ＣＰＵ１８は、キーボード１１或いはマウス１２によってカード型携帯端末３の位置を特定するための特定操作が行われると、メモリ１７に一時的に記憶させている位置情報と、例えばＲＯＭ１９に記憶させているテーマパークの地図情報とを照合し、カード型携帯端末３の位置をテーマパークの地図上に重ねることによってカード型携帯端末３の位置を示す位置特定情報を生成する。
【００２８】
そして、ＣＰＵ１８は、キーボード１２或いはマウス１３によってカード型携帯端末３の位置を出力するための出力操作が行われると、図８に示すように、上記した処理によって生成した位置特定情報をディスプレイ１４に表示させる。この場合、ＣＰＵ１８は、上記した処理によって生成した位置特定情報をディスプレイ１４に表示させることに限らず、プリンタ１５から出力させることも可能である。このようにして、テーマパークを運営する側は、ディスプレイ１４に表示された表示情報或いはプリンタ１５から出力された出力情報を確認することによって、カード型携帯端末３の位置を把握することができ、カード型携帯端末３を携帯している入場者の位置を把握することができる。尚、図８では、入場者の位置を「星」印によって示している。
【００２９】
また、ＣＰＵ１８は、複数のカード型携帯端末３の位置特定情報を生成することによってカード型携帯端末３の分布を示す分布情報を生成することも可能であり、図９に示すように、生成した分布情報を例えばディスプレイ１４に表示させることも可能である。このようにして、テーマパークを運営する側は、複数のカード型携帯端末３の位置を把握することができ、カード型携帯端末３を携帯している入場者の分布をも把握することができ、例えば比較的混雑している（人気のある）アトラクションやレストランなどを把握することができる。
【００３０】
ところで、以上は、カード型携帯端末３からホスト局１に位置情報のみを送信する場合を説明したものであるが、カード型携帯端末３からホスト局１に位置情報と共にカード型携帯端末３を識別する識別コード（本発明でいう携帯端末識別コード）を送信し、ホスト局１がカード型携帯端末３から受信した識別コードを識別するように構成すれば、以下に説明するアプリケーションを実現することが可能となる。尚、ここでいう識別コードは、例えば１６ビットで表記されるもので、ＲＯＭ８が格納しているものである。
【００３１】
すなわち、識別コードによって例えば年齢層や性別を区別した上で入場者にカード型携帯端末３を配付すれば、図１０に示すように、入場者の分布を例えば年齢層で区別してディスプレイ１４に表示させることが可能となる。この場合であれば、例えば「幼児・小学生」、「中学生・高校生」、「大人」の３階層に区別した上で入場者にカード型携帯端末３を配付すれば、入場者を「幼児・小学生」、「中学生・高校生」、「大人」の３階層に区別した上で入場者の分布をディスプレイ１４に表示させることが可能となり、これによって、テーマパークを運営する側は、例えば幼児や小学生に人気のあるアトラクションなどを把握することができたり、中学生や高校性に人気のあるレストランなどを把握することができる。尚、図１０では、「幼児・小学生」の位置を「丸」印によって示しており、「中学生・高校生」の位置を「三角」印によって示しており、「大人」の位置を「四角」印によって示している。
【００３２】
また、ＣＰＵ１８は、生成した位置特定情報と、これよりも以前にメモリ１７に一時的に記憶させた位置特定情報とを関連付けることによってカード型携帯端末３の移動軌跡を示す移動軌跡情報を生成することも可能であり、図１１に示すように、生成した移動軌跡情報を例えばディスプレイ１４に表示させることも可能である。このようにして、テーマパークを運営する側は、カード型携帯端末３の移動軌跡をも把握することができ、カード型携帯端末３を携帯している入場者の行動ルートをも把握することができる。
【００３３】
尚、ＣＰＵ１８は、表示画面をスクロールするための操作が行われると、テーマパークの地図をスクロールしてディスプレイ１４に表示させることも可能であり、また、表示画面を拡大・縮小するための操作が行われると、テーマパークの地図を拡大・縮小してディスプレイ１４に表示させることも可能である。
【００３４】
（Ｂ）ホスト局１が表示機能付携帯端末４にサービス情報を送信するフェーズ
次に、ホスト局１が表示機能付携帯端末４にサービス情報を送信するフェーズについて、図１２ないし図１６を参照して説明する。ここでも、表示機能付携帯端末４がホスト局１から比較的離れた場所に位置している状況を想定し、ホスト局１が中継局２を通じて表示機能付携帯端末４にサービス情報を送信することを前提とする。尚、表示機能付携帯端末４がホスト局１から比較的近い場所に位置している場合であれば、ホスト局１が表示機能付携帯端末４にサービス情報を直接送信することも可能である。また、ここでいうサービス情報とは、上記した特定位置情報、分布情報或いは移動軌跡情報である。
【００３５】
表示機能付携帯端末４において、ＣＰＵ２４は、例えばキーボード２２によってサービス情報の受信を要求するための受信要求操作が行われると、リンク確立要求をローカル無線部２１から中継局２を通じてホスト局１に送信させる。ホスト局１において、ＣＰＵ１８は、表示機能付携帯端末４から中継局２を通じてリンク確立要求が受信されると、リンク確立要求に対する応答としてリンク確立応答をローカル無線部１０から中継局２を通じて表示機能付携帯端末４に送信させる。
【００３６】
次いで、表示機能付携帯端末４において、ＣＰＵ２４は、ホスト局１から中継局２を通じてリンク確立応答が受信されると、ホスト局１との間でリンクを確立し、サービス情報要求と共に表示機能付携帯端末４を識別する識別コード（本発明でいう表示端末識別コード）をローカル無線部２１から中継局２を通じてホスト局１に送信させる。尚、ここでいう識別コードは、例えば１６ビットで表記されるもので、ＲＯＭ２５が格納しているものである。ホスト局１において、ＣＰＵ１８は、表示機能付携帯端末４から中継局２を通じてサービス情報要求と共に識別コードが受信されると、受信されたサービス情報要求を解析し、サービス情報要求に応じたサービス情報をローカル無線部１０から中継局２を通じて表示機能付携帯端末４に送信させる。そして、表示機能付携帯端末４において、ＣＰＵ２４は、ホスト局１から中継局２を通じてサービス情報が受信されると、受信されたサービス情報をディスプレイ２３に表示させる。
【００３７】
すなわち、表示機能付携帯端末４において、ＣＰＵ２４は、サービス情報が分布情報であれば、ホスト局１から分布情報が受信されると、図１３に示すように、受信された分布情報をディスプレイ２３に表示させる。このようにして、テーマパークを運営する側は、入場者に対して入場者の分布を知らせることができ、入場者から見れば、例えば比較的混雑しているアトラクションやレストランなどを確認することができる。
【００３８】
また、ホスト局１において、ＣＰＵ１８は、表示機能付携帯端末４から受信した識別コードを識別することによって、サービス情報要求を送信した表示機能付携帯端末４を識別することができ、上記したカード型携帯端末３の識別コードと表示機能付携帯端末４の識別コードとを関連付けておくことによって、表示機能付携帯端末４の位置を識別することができ、つまり、サービス情報要求を送信する操作を行った入場者の位置を識別することができる。
【００３９】
したがって、ホスト局１において、ＣＰＵ１８は、このようなカード型携帯端末３の識別コードと表示機能付携帯端末４の識別コードとを照合する処理を行うことによって、サービス情報が位置特定情報であれば、位置特定情報を表示機能付携帯端末４に送信させ、表示機能付携帯端末４において、ＣＰＵ２４は、ホスト局１から位置特定情報が受信されると、図１４に示すように、受信された位置特定情報をディスプレイ２３に表示させる。このようにして、テーマパークを運営する側は、入場者に対して入場者の位置を知らせることができ、入場者から見れば、自分の位置を確認することができる。
【００４０】
また、ＣＰＵ１８は、サービス情報が移動軌跡情報であれば、表示機能付携帯端末４の位置の時系列的な変化を識別し、移動軌跡情報を表示機能付携帯端末４に送信させ、表示機能付携帯端末４において、ＣＰＵ２４は、ホスト局１から移動軌跡情報が受信されると、図１５に示すように、受信された移動軌跡情報をディスプレイ２３に表示させる。このようにして、テーマパークを運営する側は、入場者に対して入場者の移動軌跡を知らせることができ、入場者から見れば、自分の行動ルートを確認することができる。
【００４１】
尚、この場合も、ＣＰＵ２４は、表示画面をスクロールするための操作が行われると、テーマパークの地図をスクロールしてディスプレイ２３に表示させることも可能であり、また、表示画面を拡大・縮小するための操作が行われると、テーマパークの地図を拡大・縮小してディスプレイ２３に表示させることも可能である。
【００４２】
また、ホスト局１において、ＣＰＵ１８は、位置特定情報を加工・編集することによって生成した情報（例えばアトラクションの混雑を示す文字情報）をサービス情報として表示機能付携帯端末４に送信させることも可能であり、表示機能付携帯端末４において、ＣＰＵ２４は、図１６に示すように、ホスト局１が位置特定情報を加工・編集することによって生成した情報をディスプレイ２３に表示させることも可能である。
【００４３】
ところで、以上は、テーマパークを運営する側が表示機能付携帯端末４を配付する場合を説明したものであるが、テーマパーク内の所定場所に大型のディスプレイを有する表示装置を設置し、ホスト局１から表示装置にサービス情報を送信することによって、上記したようなサービス情報を表示装置に表示させることも可能である。
【００４４】
以上に説明したように第１実施例によれば、カード型携帯端末３において、ＧＰＳ衛星２７からＧＰＳ衛星信号を受信すると、受信されたＧＰＳ衛星信号に格納されているＧＰＳ情報に基づいて位置情報を生成し、生成した位置情報をホスト局１に送信し、そして、ホスト局１において、カード型携帯端末３から位置情報を受信すると、受信された位置情報に基づいてテーマパーク内におけるカード型携帯端末３の位置を特定することによってカード型携帯端末３の位置を示す位置特定情報を生成し、生成した位置特定情報をディスプレイ１４に表示したり或いはプリンタ１５から出力するように構成した。
【００４５】
したがって、テーマパークを運営する側は、入場者にカード型携帯端末３を配付し、入場者にカード型携帯端末３を携帯させることによって、ホスト局１においてカード型携帯端末３の位置を示す位置特定情報を表示させたり或いは出力させることができるので、表示或いは出力された位置特定情報を確認することによって、カード型携帯端末３を携帯する入場者の位置を特定することができ、入場者の位置を把握することができる。
【００４６】
また、ホスト局１において、複数のカード型携帯端末３の位置特定情報を生成することによってカード型携帯端末３の分布を示す分布情報を生成し、生成した分布情報を表示したり或いは出力するように構成したので、テーマパークを運営する側は、複数の入場者にカード型携帯端末３を配付し、複数の入場者にカード型携帯端末３を携帯させることによって、入場者の分布を把握することができ、例えば比較的混雑している（人気のある）アトラクションやレストランなどを把握することができる。
【００４７】
また、カード型携帯端末３において、自己を識別する識別コードをホスト局１に送信し、そして、ホスト局１において、カード型携帯端末３から識別コードを受信すると、受信された識別コードに基づいてカード型携帯端末３を識別するように構成したので、テーマパークを運営する側は、識別コードによって例えば年齢層や性別を区別した上で入場者にカード型携帯端末３を配付することによって、単に入場者の位置を把握することができるのみでなく、入場者の年齢層や性別をも把握することができ、例えば幼児や小学生に人気のあるアトラクションなどを把握することができる。
【００４８】
また、ホスト局１において、生成した位置特定情報を一時的に記憶し、生成した位置特定情報と、これよりも以前に一時的に記憶している位置特定情報とを関連付けることによってカード型携帯端末３の移動軌跡を示す移動軌跡情報を生成し、生成した移動軌跡情報を表示或いは出力するように構成したので、テーマパークを運営する側は、入場者にカード型携帯端末３を配付し、入場者にカード型携帯端末３を携帯させることによって、カード型携帯端末３の時系列的な位置の変化、つまり、入場者の移動軌跡を把握することができ、例えば行動ルートなどを把握することができる。
【００４９】
また、カード型携帯端末３とホスト局１とが中継局２を通じて無線通信を行うように構成したので、カード型携帯端末３が放射する電波を中継局２が中継することによって、カード型携帯端末３が放射する電波の電力レベルを抑えることができ、入場者にカード型携帯端末３を配付することを鑑みると、仮に入場者が例えばビデオカメラなどの他の電子機器を携帯している場合であっても、カード型携帯端末３が放射する電波によって他の電子機器に例えば画像の乱れなどの悪影響が及ぼされることを未然に回避することができ、また、カード型携帯端末３が電池によって駆動するものであれば、カード型携帯端末３における消費電流を抑えることによって充電或いは電池交換の頻度をも抑えることもできる。
【００５０】
また、ホスト局１において、上記したような位置特定情報、分布情報或いは移動軌跡情報をサービス情報として表示機能付携帯端末４に送信し、そして、表示機能付携帯端末４において、ホスト局１からサービス情報を受信すると、受信されたサービス情報をディスプレイ２３に表示するように構成したので、テーマパークを運営する側は、サービス情報として位置特定情報を送信することによって、入場者に対して入場者の位置を知らせることができ、また、サービス情報として分布情報を送信することによって、入場者に対して入場者の分布を知らせることができ、さらに、サービス情報として移動軌跡情報を送信することによって、入場者に対して入場者の移動軌跡を知らせることができ、このように入場者にとって有益なサービスを提供することができる。
【００５１】
また、表示機能付携帯端末４において、自己を識別する識別コードをホスト局１に送信し、ホスト局１において、表示機能付携帯端末４から識別コードを受信すると、受信された識別コードに基づいて表示機能付携帯端末４を識別するように構成したので、テーマパークを運営する側は、カード型携帯端末３の識別コードと表示機能付携帯端末４の識別コードとを関連付けておくことによって、表示機能付携帯端末４の位置を識別することができ、表示機能付携帯端末４の位置に応じた好適なサービス情報を送信することができ、入場者に対して位置に特化したサービスを提供することができる。
【００５２】
また、表示機能付携帯端末４を携帯可能に構成したので、テーマパークを運営する側は、入場者に表示機能付携帯端末４を配付し、入場者に表示機能付携帯端末４を携帯させ、サービス情報を表示機能付携帯端末４に送信することによって、表示機能付携帯端末４を携帯している入場者のみに対して入場者にとって有益なサービスを提供することができ、例えば希望する入場者のみに表示機能付携帯端末４を配付することによって、希望する入場者のみに対して有益なサービスを提供することができる。さらに、表示機能付携帯端末４の機能を有する表示装置を所定エリア内において不特定多数の入場者が見易いような場所に設置するように構成すれば、テーマパークを運営する側は、サービス情報を表示装置に送信することによって、不特定多数の入場者に対して有益なサービスを提供することができる。
【００５３】
（第２の実施の形態）
次に、本発明の第２実施例について、図１７を参照して説明する。尚、上記した第１実施例と同一部分には同一符号を付して説明を省略し、以下、異なる部分について説明する。
上記した第１実施例では、カード型携帯端末３がＧＰＳ情報を演算することによって位置情報を生成し、生成した位置情報をホスト局１に送信するように構成したものであるが、この第２実施例では、カード型携帯端末３が位置情報を生成することがなく、カード型携帯端末３からホスト局１にＧＰＳ情報を送信し、ホスト局１がＧＰＳ情報を演算することによって位置情報を生成するように構成したものである。
【００５４】
すなわち、ホスト局１において、ＣＰＵ１８は、カード型携帯端末３から受信された位置情報をメモリ１７に一時的に記憶し、キーボード１１或いはマウス１２よってカード型携帯端末３の位置を特定するための特定操作が行われると、メモリ１７に一時的に記憶しているＧＰＳ情報を演算することによって位置情報を生成し、生成した位置情報と、例えばＲＯＭ１９が記憶しているテーマパークの地図情報とを照合し、カード型携帯端末３の位置をテーマパークの地図上に重ねることによってカード型携帯端末３の位置を示す位置特定情報を生成する。
【００５５】
以上に説明したように第２実施例によれば、カード型携帯端末３において、ＧＰＳ衛星２７からＧＰＳ衛星信号を受信すると、受信されたＧＰＳ衛星信号に格納されているＧＰＳ情報をホスト局１に送信し、そして、ホスト局１において、カード型携帯端末３からＧＰＳ情報を受信すると、受信されたＧＰＳ情報に基づいて位置情報を生成し、位置情報に基づいてテーマパーク内におけるカード型携帯端末３の位置を特定することによってカード型携帯端末３の位置を示す位置特定情報を生成し、生成した位置特定情報をディスプレイ１４に表示したり或いはプリンタ１５から出力するように構成した。
【００５６】
したがって、上記した第１実施例と同様にして、テーマパークを運営する側は、入場者にカード型携帯端末３を配付し、入場者にカード型携帯端末３を携帯させることによって、ホスト局１においてカード型携帯端末３の位置を示す位置特定情報を表示させたり或いは出力させることができるので、表示或いは出力された位置特定情報を確認することによって、カード型携帯端末３を携帯する入場者の位置を特定することができ、入場者の位置を把握することができる。
【００５７】
また、この場合は、上記した第１実施例に記載したものと比較すると、カード型携帯端末３において位置情報を生成するのではなく、ホスト局１において位置情報を生成するので、その分、例えばカード型携帯端末３のＣＰＵ７が行う処理を簡素化できるなどカード型携帯端末３の構成を簡単にすることができ、入場者にカード型携帯端末３を配付することを鑑みると、仮にカード型携帯端末３が紛失したり或いは損傷した場合であっても、それによる損害を抑えることができる。
【００５８】
（その他の実施の形態）
本発明は、上記した実施例にのみ限定されるものでなく、次のように変形または拡張することができる。
テーマパークにおける位置管理システムに限らず、比較的広大な敷地面積を有するイベント会場或いは遊園地における位置管理システムであっても良く、また、他の施設における位置管理システムであっても良い。
ホスト局とカード型携帯端末との間のシーケンス（通信手順）およびホスト局と表示機能付携帯端末との間のシーケンスは、他のものであっても良い。
【００５９】
ホスト局における表示形態或いは出力形態や表示機能付携帯端末における表示形態は、他の形態であっても良く、また、テーマパークの地図は、平面的（二次元的）に表示するものに限らず、立体的（三次元的）に表示するものであっても良く、それに応じて、位置特定情報、分布情報或いは移動軌跡情報を立体的に表示する構成であっても良い。
表示機能付携帯端末のキーボードをタッチパネルによって構成することに限らず、ハードウェア的に備える構成であっても良い。
【００６０】
カード型携帯端末がホスト局に位置情報を送信する周期は、１８０秒に限らず、他の秒数であっても良く、例えば敷地面積の大きさや入場者数によって可変的に決定されるものであっても良い。また、学習機能を備えることによって、例えば入場者の移動速度が比較的大きく、位置情報が頻繁に変更する傾向が続くような場合であれば、周期を比較的短く設定し、一方、入場者の移動速度が比較的小さく、位置情報が稀にしか変更しない傾向が続くような場合であれば、周期を比較的長く設定する構成であっても良い。
【００６１】
ホスト局から表示機能付携帯端末にサービス情報を送信することに加えて、例えばレストランのメニュー情報やアトラクションの開催情報などの入場者の位置とは関係のない情報を送信することが可能な構成であっても良い。
入場者の数が極めて多いような場合には、複数人（例えば１０人）を１つの印によって表示したり或いは出力する構成であっても良い。
【図面の簡単な説明】
【図１】本発明の第１実施例を概略的に示す図
【図２】カード型携帯端末の外観斜視図
【図３】カード型携帯端末の機能ブロック図
【図４】ホスト局の機能ブロック図
【図５】表示機能付携帯端末の外観斜視図
【図６】表示機能付携帯端末の機能ブロック図
【図７】シーケンス図
【図８】ホスト局におけるディスプレイの表示例を示す図
【図９】図８相当図
【図１０】図８相当図
【図１１】図８相当図
【図１２】図７相当図
【図１３】表示機能付携帯端末におけるディスプレイの表示例を示す図
【図１４】図１３相当図
【図１５】図１３相当図
【図１６】図１３相当図
【図１７】本発明の第２実施例を概略的に示す図
【符号の説明】
図面中、１はホスト局、２は中継局、３はカード型携帯端末（携帯端末）、４は表示機能付携帯端末（表示端末）、５はＧＰＳ無線部（ＧＰＳ受信手段）、６はローカル無線部（所定エリア内通信手段）、７はＣＰＵ（制御手段）、１０はローカル無線部（所定エリア内通信手段）、１４はディスプレイ（出力手段）、１５はプリンタ（出力手段）、１７はメモリ（記憶手段）、１８はＣＰＵ（制御手段）、２１はローカル無線部（所定エリア内通信手段）、２３はディスプレイ（表示手段）、２４はＣＰＵ（制御手段）、２７はＧＰＳ衛星である。
【図１】
0004325089.tif 000002
【図２】
0004325089.tif 000003
【図３】
0004325089.tif 000004
【図４】
0004325089.tif 000005
【図５】
0004325089.tif 000006
【図６】
0004325089.tif 000007
【図７】
0004325089.tif 000008
【図８】
0004325089.tif 000009
【図９】
0004325089.tif 000010
【図１０】
0004325089.tif 000011
【図１１】
0004325089.tif 000012
【図１２】
0004325089.tif 000013
【図１３】
0004325089.tif 000014
【図１４】
0004325089.tif 000015
【図１５】
0004325089.tif 000016
【図１６】
0004325089.tif 000017
【図１７】
0004325089.tif 000018